(57)【要約】【課題】規格が異なる五種類のメモリーカードと電気的に接続し、マルチ機能と軽、薄型化を達成することが可能な薄型５ｉｎ１メモリーカードのアダプターを提供する。【解決手段】本体１０と規格が異なる複数組の端子２０、３０、４０から構成される。本体１０は内側に位置するスロット部１１と外側に位置する収容部１２を備え、スロット部１１は複数種類の端子２０、３０、４０を固定可能なスロット１１１を有する。収容部１２はＵ字形で、高さと形が異なる第一壁面１２１、第二壁面１２２、及び第三壁面１２３を備え、表面には高さが第一壁面１２１と第三壁面１２３の高さ超えない複数のリブ１２５と突出部１２６を有する。端子２０、３０、４０は合計１３本であり、本体１０の所定の位置に配置され、かつそれぞれの弾力性の湾曲体２１、３１、４１、の頂面は第一壁面１２１及び第三壁面１２３より高くなるように限定される。【選択図】図２
0003121028.tif 000002
【実用新案登録請求の範囲】
【請求項１】
本体と規格が異なる複数組の端子とから構成される薄型５ｉｎ１メモリーカードのアダプターであって、
本体は、内側に位置するスロット部と外側に位置する収容部を備え、スロット部は複数種類の端子を固定可能なスロットを有し、収容部はスロット部両側から伸びて形成された略Ｕ字形の物体であるため、外側面と上面が開放状態を呈し、収容部の第一壁面はスロット部から直線状で伸びて形成され、かつスロット部のＭＭＣ（Multi Media Card）シリーズのメモリーカードの厚さｔより低くなるように限定され、他側の第二壁面はスロット部から外へ斜めに伸びて高さが一致するように形成され、また第二壁面は外へ伸び、第一壁面の高さと一致する平行の第三壁面を形成し、さらに収容部の表面には異なる端子組を収容可能な欠如部と、スロット部から前へ直線状で伸びて形成される複数のリブと、所定の欠如部の外側に配置される複数の突出部を有し、これらのリブと突出部は第一壁面及び第三壁面の高さを超えないように限定され、
第一端子組はスロット内に配列するように入り込む比較的短い端子を８本有し、かつその外端は弾力性の湾曲体に形成され、対応する欠如部に配置され、
第二端子は第二壁面及び第三壁面の内側に配置される中間長さの端子を１本有し、かつその内端はスロット内に入り込み、外端は弾力性の湾曲体に形成され、対応する欠如部に位置付けられ、
第三端子組はスロット内に入り込む比較的長い端子を４本有し、かつその外端の弾力性の湾曲体は第一端子組に突出し、かつ対応する欠如部に位置付けられ、
前記第一端子、第二端子及び第三端子は合計１３本であり、所定の位置に配列するように本体に配置され、かつそれぞれの弾力性の湾曲体の頂面は第一壁面及び第三壁面より高くなるように限定されることでＳＤ、ＭＭＣ、ＭＭＣ４．０、ＲＳ‐ＭＭＣ及びＲＳ‐ＭＭＣ４．０の五種類のメモリーカードに共用できるアダプターが形成されることを特徴とする薄型５ｉｎ１メモリーカードのアダプター。
【請求項２】
本体とＳＤメモリーカードとを接続させる際、第一端子組の８本の端子と第二端子との合計９本の端子がＳＤメモリーカードの底部の導電インターフェースに突き当ることで電気的に接続することを特徴とする請求項１に記載の薄型５ｉｎ１メモリーカードのアダプター。
【請求項３】
本体とＭＭＣまたはＲＳ‐ＭＭＣの任意の一つメモリーカードとを接続させる際、第一端子組のうちの７本の端子がＭＭＣ／ＲＳ‐ＭＭＣメモリーカードの底部の導電インターフェースに突き当ることで電気的に接続することを特徴とする請求項１に記載の薄型５ｉｎ１メモリーカードのアダプター。
【請求項４】
本体とＭＭＣ４．０またはＲＳ‐ＭＭＣ４．０の任意の一つメモリーカードとを接続させる際、１３本の端子がすべてＭＭＣ４．０／ＲＳ‐ＭＭＣ４．０メモリーカードの底部の導電インターフェースに突き当ることで電気的に接続することを特徴とする請求項１に記載の薄型５ｉｎ１メモリーカードのアダプター。
【考案の詳細な説明】
【技術分野】
【０００１】
本考案は、薄型５ｉｎ１メモリーカードのアダプター、詳しく言えば薄型デザインを有しかつＳＤ、ＭＭＣ、ＭＭＣ４．０、ＲＳ‐ＭＭＣ及びＲＳ‐ＭＭＣ４．０など五種類のメモリーカードが共用できるアダプターに関するものである。
【背景技術】
【０００２】
現在、市販のメモリーカードは規格が多いだけではなく、新しい規格が続々制定されてくる。しかしメモリーカードの規格によってサイズと導電インターフェースの接点位置がすべて異なるため、規格が異なるメモリーカードは専用のアダプターしか使用できない。したがって、使用上の利便性と汎用性を高めるために、形態が異なるアダプター構造を単一のアダプターに統合することにより規格が多種多様なメモリーカードに適用することが可能である。
【０００３】
現今、よく使用され、かつ比較的に普及しているメモリーカードは下記の通りである。一つは前端底面の導電インターフェースが九個の接点を含むＳＤ（Secure Digital）である。もう一つは導電インターフェースが七個の接点を含むＭＭＣ（Multi Media Card）である。またもう一つはＭＭＣの導電インターフェースの規格が同じで長さが比較的短いＲＳ‐ＭＭＣであり、そのうちＲＳとのはReduced Sizeの略語である。その他にＭＭＣ４．０及びＲＳ‐ＭＭＣ４．０などがある。この二種類のメモリーカードのサイズは前記ＭＭＣとＲＳ‐ＭＭＣのサイズと同じであるが、導電インターフェースの接点は十三個ある。したがって上述の規格が異なる五種類のメモリーカードに同じアダプターを共用させるには、空間分配を精密に研究し、アダプターを統合しなければ、長さが異なる様々な端子をアダプター本体に配置する場合、構造が複雑で組立に手間が掛かるという問題が発生する。それでもこれまで上述の五種類のメモリーカードが共用できるアダプターがまだ開発されていなかった。
【０００４】
それに対し、本考案者は台湾出願請求第９３２１０７１６号（アメリカ合衆国出願請求第１１／０８８，７２９号）によりマルチメモリーカードのアダプター（Multipurpose Memory Card Adapter）を掲示した。この出願請求案はベース（Base）とカバー（Cover）を備え、長さが異なる各種の端子を内側、外側と上方から配置することであるため、製造過程が非常に複雑で、体積全体を縮小することができず、薄、小型化を追求しているデジタル製品において、装着空間の設計に不利になる。したがって、改善の余地がある。
【考案の開示】
【考案が解決しようとする課題】
【０００５】
本考案の主な目的はカバーの設計を排除し、メモリーカードのアダプターを薄型化する効果を有し、かつアダプター本体の巧妙な設計により長さが異なる三組の端子を同じ方向で配置し構造を簡単化し、かつアダプター本体の高さと形が異なる三つの壁面により規格が異なる五種類のメモリーカードと電気的に接続し、マルチ機能と軽、薄型化を達成することが可能な薄型５ｉｎ１メモリーカードのアダプターを提供することである。
【課題を解決するための手段】
【０００６】
上述の目的を達成するために、本考案は本体と規格が異なる複数組の端子から構成される。
本体は内側に位置するスロット部と外側に位置する収容部を備え、そのうちスロット部は複数種類の端子を固定可能なスロットを有し、収容部はスロット部両側から伸びて形成されたU形の物体であるため、外側面と上面が開放状態を呈する。収容部の第一壁面はスロット部から直線状で伸びて形成され、かつスロット部のＭＭＣ（Multi Media Card）シリーズのメモリーカードの厚さｔより低くなるように限定され、他側の第二壁面はスロット部から外へ斜めに伸びて高さが一致するように形成され、かつ第二壁面は外へ伸び、第一壁面の高さと一致する平行の第三壁面を形成する。また収容部の表面には異なる端子組を収容可能な欠如部と、スロット部から前へ直線状に伸びて形成される複数のリブと、所定の欠如部の外側に配置される複数の突出部を有し、これらのリブと突出部は第一壁面と第三壁面の高さを超えないように限定される。
【０００７】
第一端子組はスロット内に配列するように入り込む比較的短い端子を８本有し、かつその外端は弾力性の湾曲体に形成され、対応する欠如部に配置される。
第二端子は第二、第三壁面の内側に配置される中間長さの端子を１本有し、かつその内端はスロット内に入り込み、外端は弾力性の湾曲体に形成され、対応する欠如部に位置付けられる。
【０００８】
第三端子組はスロット内に入り込む比較的長い端子を４本有し、かつその外端の弾力性の湾曲体は第一端子組に突出し、かつ対応する欠如部に位置付けられる。
前記第一、第二、第三端子は合計１３本であり、所定の位置に配列するように本体に配置され、かつそれぞれの弾力性の湾曲体の頂面は第一、第三壁面より高くなるように限定されることでＳＤ、ＭＭＣ、ＭＭＣ４．０、ＲＳ‐ＭＭＣ及びＲＳ‐ＭＭＣ４．０など五種類のメモリーカードに共用できるアダプターが形成される。
【考案を実施するための最良の形態】
【０００９】
図１の分解斜視図、図２の組立後の斜視図及び図３の平面図に示す通り、本考案の一実施例による薄型５ｉｎ１メモリーカードのアダプターは、本体と規格が異なる複数組の端子から構成される。
本体１０は内側に位置するスロット部１１と外側に位置する収容部１２を備え、そのうちスロット部１１は図２に示すように複数種類の端子２０、３０、４０を固定可能なスロット１１１を有する。収容部１２はスロット部１１両側から伸びて形成されたＵ形の物体であるため、外側面と上面が開放状態を呈する。収容部１２の第一壁面１２１はスロット部１１から直線状に伸びて形成され、かつスロット部１１のＭＭＣ（Multi Media Card）シリーズのメモリーカードの厚さｔより低くなるように限定され、他側の第二壁面１２２はスロット部１１から外へ斜めに伸びて高さが一致するように形成され、かつ第二壁面１２２は外へ伸び、第一壁面１２１の高さと一致する（即ちｈ１＝ｈ２）平行の第三壁面１２３を形成する。また収容部１２の表面には異なる端子組を収容可能な欠如部１２４と、スロット部１１から前へ直線状で伸びて形成される複数のリブ１２５と、所定の欠如部１２４の外側に配置される複数の突出部１２６を有し、これらのリブ１２５と突出部１２６の高さは第一壁面１２１と第三壁面１２３の高さｈ１、ｈ２を超えないように限定される。
【００１０】
続いて本体１０に長さが異なる三組の端子組２０、３０、４０を配置する。かつその三組の端子は同じ方向でスロット１１１内に入り込む。
第一端子組２０はスロット１１１内に配列するように入り込む比較的短い端子を８本有し、かつその外端は弾力性の湾曲体２１に形成され、対応する欠如部１２４に配置される。
【００１１】
第二端子３０は第二壁面１２２及び第三壁面１２３の内側に配置される中間長さの端子を１本有し、かつその内端はスロット１１１内に入り込み、外端は弾力性の湾曲体３１に形成され、対応する欠如部１２４に位置付けられる。
第三端子組４０はスロット１１１内に入り込む比較的長い端子を４本有し、かつその外端の弾力性の湾曲体４１は第一端子組２０に突出し、かつ対応する欠如部１２４に位置付けられる。
【００１２】
前記第一端子２０、第二端子３０、及び第三端子４０は合計１３本であり、所定の位置に配列するように本体１０に配置され、かつそれぞれの弾力性の湾曲体２１、３１、４１の頂面は第一壁面１２１及び第三壁面１２３の高さｈ１、ｈ３より高くなるよう限定される。これにより図４Ａから図４Ｅに示すようにＳＤメモリーカード５０、ＭＭＣメモリーカード６０、ＭＭＣ４．０メモリーカード７０、ＲＳ‐ＭＭＣメモリーカード８０及びＲＳ‐ＭＭＣ４．０メモリーカード９０など五種類のメモリーカードに共用できるアダプターが形成される。
【００１３】
上述の技術手段により本考案の一実施例による薄型５ｉｎ１メモリーカードのアダプターは前述の五種類のメモリーカードに適用することが可能となる。以下、図５と図６に基づいて各種類のメモリーカードと本体１０の組立後の使用状態を説明する。
図５Ａと図６Ａに示すのはＳＤメモリーカード５０に用いられる本考案の一実施例による薄型５ｉｎ１メモリーカードのアダプターの平面図と断面図である。ＳＤメモリーカード５０は前端底部の導電インターフェース５１に９個の接点を有するため、第一端子組２０の８本の端子と第二端子３０と合わせて９本の端子に電気的に接続する。かつＳＤメモリーカード５０は前端がスロット部１１と第二壁面１２２に突き当たり、側辺が第一壁面１２１及び第三壁面１２３の上方に整斉に位置付けられる。またＳＤメモリーカード５０の厚さはＭＭＣシリーズメモリーカードより厚く、この厚さはちょうど収容部１２に収納可能な厚さであり、突出部１２６は厚みがある階段状の面５２に突き当たるため、ＳＤメモリーカード５０を安定させるように支持することが可能である。また本体１０の上方にカバーを配置することなく、直接本体１０をカード読み取り機（図中未表示）などのデジタル製品のハウジング内に装着すれば、読み取り機のハウジングが本体１０のカバーとなる。これによりカバーの厚さを配慮する必要がなくなり、かつコストを削減し、デジタル製品を軽、薄型化をすることが可能となる。
【００１４】
図５Ｂと図６Ｂに示すのはＭＭＣメモリーカード６０に用いられる本考案の一実施例による薄型５ｉｎ１メモリーカードの平面図と断面図である。ＭＭＣメモリーカード６０は導電インターフェース６１に７個の接点を有するため、第一端子組２０の一番左の端子２０’に接触せず、ほかの７本の端子のみに接触する。またＭＭＣは前端の形がＳＤと同じであるため、前端がスロット部１１と第二壁面１２２に突き当たり、側辺が第一壁面１２１及び第三壁面１２３を跨るように配置される。またＭＭＣシリーズメモリーカードは厚さがＳＤメモリーカード５０より小さいため、ＭＭＣメモリーカード６０は両側が第一壁面１２１及び第三壁面１２３を跨るように配置されるだけでなく、その中間が突出部１２６により支持される。この時、図６Ｂに示すようにＭＭＣメモリーカード６０の高さは本体１０のスロット部１１と第一壁面１２１及び第二壁面１２２を超えていない。つまり第一壁面１２１及び第二壁面１２２はスロット部１１の厚さｔより低い。したがって、本体１０をデジタル製品のハウジング内に装着しても、ＭＭＣメモリーカード６０の差込または取り出しに支障をきたすことはない。
【００１５】
図５Ｃと図６Ｃに示すのはＭＭＣ４．０メモリーカード７０に用いられる本考案の一実施例による薄型５ｉｎ１メモリーカードの平面図と断面図である。そのうち同じユニットは同じ符号で表記される。ＭＭＣ４．０メモリーカード７０は外形が前記ＭＭＣメモリーカード６０と同じであるため、詳しい説明を省く。その違いは、ＭＭＣ４．０メモリーカード７０は導電インターフェース７１に１３個の接点を有するため、第一三端子組２０、第二端子３０、及び第三端子組４０の合計１３本の端子に電気的に接続することでる。また三組の端子ともスロット部１１から同じ方向で配列するように配置されることが本実施例の特徴の一つであるため、収容部１２の長さを短縮し、軽、小型化の効果を達成することが可能である。
【００１６】
図５Ｄと図６Ｄに示すのはＲＳ‐ＭＭＣメモリーカード８０に用いられる本考案の一実施例による薄型５ｉｎ１メモリーカードの平面図と断面図である。ＲＳ‐ＭＭＣメモリーカード８０はサイズのみＭＭＣメモリーカード６０より短いが、導電インターフェース８１は同様に７個の接点を有し、電気的導通機能は同じであるため、詳しい説明を省く。
図５Ｅと図６Ｅに示すのはＲＳ‐ＭＭＣ４．０メモリーカード９０に用いられる本考案の一実施例による薄型５ｉｎ１メモリーカードの平面図と断面図である。ＲＳ‐ＭＭＣ４．０メモリーカード９０はサイズのみＭＭＣ４．０メモリーカード７０より短いが、導電インターフェース９１は同様に１３個の接点を有し、電気的導通機能は同じであるため、詳しい説明を省く。
【００１７】
上述の実施例の説明により、本考案は少なくても上述の五種類のメモリーカードに適用可能であり、かつ市販のアダプターに比べ厚さが最も薄いため、実用性と進歩性を有する。
上述の通り、本考案が掲示した構造は今までなかっただけでなく、所定の効果を確実に達成し、産業上の使用価値を有するため、実用新案登録の要件を満たすと考えられる。
上述した図面、説明は本考案の好ましい実施例に過ぎないため、この技術を熟知している人でも、本考案の精神に基づき同等の変化または修正をすることは本考案の請求範囲に属すべきである。
【図面の簡単な説明】
【００１８】
【図１】本考案の一実施例による薄型５ｉｎ１メモリーカードの分解斜視図である。
【図２】本考案の一実施例による薄型５ｉｎ１メモリーカードの組立後の斜視図である。
【図３】本考案の一実施例による薄型５ｉｎ１メモリーカードの平面図である。
【図４Ａ】ＳＤメモリーカードに用いられる本考案の一実施例による薄型５ｉｎ１メモリーカードの斜視図である。
【図４Ｂ】ＭＭＣメモリーカードに用いられる本考案の一実施例による薄型５ｉｎ１メモリーカードの斜視図である。
【図４Ｃ】ＭＭＣ４．０メモリーカードに用いられる本考案の一実施例による薄型５ｉｎ１メモリーカードの斜視図である。
【図４Ｄ】ＲＳ‐ＭＭＣメモリーカードに用いられる本考案の一実施例による薄型５ｉｎ１メモリーカードの斜視図である。
【図４Ｅ】ＲＳ‐ＭＭＣ４．０メモリーカードに用いられる本考案の一実施例による薄型５ｉｎ１メモリーカードの斜視図である。
【図５Ａ】ＳＤメモリーカードに用いられる本考案の一実施例による薄型５ｉｎ１メモリーカードの平面図である。
【図５Ｂ】ＭＭＣメモリーカードに用いられる本考案の一実施例による薄型５ｉｎ１メモリーカードの平面図である。
【図５Ｃ】ＭＭＣ４．０メモリーカードに用いられる本考案の一実施例による薄型５ｉｎ１メモリーカードの平面図である。
【図５Ｄ】ＲＳ‐ＭＭＣメモリーカードに用いられる本考案の一実施例による薄型５ｉｎ１メモリーカードの平面図である。
【図５Ｅ】ＲＳ‐ＭＭＣ４．０メモリーカードに用いられる本考案の一実施例による薄型５ｉｎ１メモリーカードの平面図である。
【図６Ａ】メモリーカードに用いられる本考案の一実施例による薄型５ｉｎ１メモリーカードの断面図である。
【図６Ｂ】ＭＭＣモリーカードに用いられる本考案の一実施例による薄型５ｉｎ１メモリーカードの断面図である。
【図６Ｃ】ＭＭＣ４．０メモリーカードに用いられる本考案の一実施例による薄型５ｉｎ１メモリーカードの断面図である。
【図６Ｄ】ＲＳ‐ＭＭＣメモリーカードに用いられる本考案の一実施例による薄型５ｉｎ１メモリーカードの断面図である。
【図６Ｅ】ＲＳ‐ＭＭＣ４．０メモリーカードに用いられる本考案の一実施例による薄型５ｉｎ１メモリーカードの断面図である。
【符号の説明】
【００１９】
１０  本体、１１  スロット部、１１１  スロット、１２  収容部、１２１  第一壁面、１２２  第二壁面、１２３  第三壁面、１２４  欠如部、１２５  リブ、１２６  突出部、２０  第一端子組、２０’  端子、３０  第二端子、４０  第三端子組、５０  ＳＤ、６０  ＭＭＣ、７０  ＭＭＣ４．０、８０  ＲＳ‐ＭＭＣ、９０  ＲＳ‐ＭＭＣ４．０、２１、３１、４１  湾曲部、５２  階段状の面、５１、６１、７１、８１、９１  導電インターフェース
【図１】
0003121028.tif 000003
【図２】
0003121028.tif 000004
【図３】
0003121028.tif 000005
【図４Ａ】
0003121028.tif 000006
【図４Ｂ】
0003121028.tif 000007
【図４Ｃ】
0003121028.tif 000008
【図４Ｄ】
0003121028.tif 000009
【図４Ｅ】
0003121028.tif 000010
【図５Ａ】
0003121028.tif 000011
【図５Ｂ】
0003121028.tif 000012
【図５Ｃ】
0003121028.tif 000013
【図５Ｄ】
0003121028.tif 000014
【図５Ｅ】
0003121028.tif 000015
【図６Ａ】
0003121028.tif 000016
【図６Ｂ】
0003121028.tif 000017
【図６Ｃ】
0003121028.tif 000018
【図６Ｄ】
0003121028.tif 000019
【図６Ｅ】
0003121028.tif 000020